(57)【特許請求の範囲】
【請求項１】
セントラルユニット，プリンタユニット，及びスキャナユニットを有し，コピー機能，プリント機能，及びスキャン機能を備え，操作入力可能な表示画面と，前記表示画面の表示内容を制御する表示制御部とを有する複合機において，
前記表示制御部は，前記機能の操作入力ボタンと状態表示ボタンとを有する基本操作画面と，前記ユニットの状態を選択する選択入力ボタンを有する基本状態表示画面と，前記ユニットごとの状態を表示する複数の状態表示画面とを階層的に遷移させながら表示し，
通常時は，前記基本操作画面の前記状態表示ボタンへの指示入力に応答して基本状態表示画面へ遷移させ，当該基本状態表示画面の前記選択入力ボタンへの選択入力に応答して，選択されたユニットの状態表示画面へさらに遷移させ，
前記ユニットの状態に１または複数の障害が発生した異常時は，当該発生した障害のうち最優先の障害を前記基本操作画面において表示し，当該基本操作画面の前記状態表示ボタンへの指示入力に応答して，前記基本状態表示画面へ遷移させることなく，当該最優先の障害の前記状態表示画面へ遷移させる複合機。
【請求項２】
請求項１において，
前記表示制御部は，前記障害が複数発生した場合は，当該発生した障害の優先度すべてを前記基本操作画面において表示し，当該基本操作画面の前記状態表示ボタンへの指示入力に応答して，前記基本状態表示画面へ遷移させることなく，当該最優先の障害の前記状態表示画面へ遷移させる複合機。
【請求項３】
セントラルユニット，プリンタユニット，及びスキャナユニットを有し，コピー機能，プリント機能，及びスキャン機能を備え，操作入力可能な表示画面と，前記表示画面の表示内容を制御する表示制御部とを有する複合機において，
前記表示制御部は，前記機能の操作入力ボタンと状態表示ボタンとを有する基本操作画面と，前記ユニットの状態を選択する選択入力ボタンを有する基本状態表示画面と，前記ユニットごとの状態を表示する複数の状態表示画面とを階層的に遷移させながら表示し，
通常時及び前記ユニットの状態に１または複数の障害が発生した異常時は，前記基本操作画面の前記状態表示ボタンへの指示入力に応答して基本状態表示画面へ遷移させ，当該基本状態表示画面の前記選択入力ボタンへの選択入力に応答して，選択されたユニットの状態表示画面へさらに遷移させ，
前記異常時は，当該発生した障害のうち最優先の障害表示ボタンを前記基本操作画面において表示し，当該障害表示ボタンへの指示入力に応答して，前記基本状態表示画面へ遷移させることなく，当該指示された障害の前記状態表示画面へ遷移させる複合機。
【請求項４】
請求項３において，
前記表示制御部は，前記障害が複数発生した場合は，当該複数の障害表示ボタンを前記基本操作画面上に表示し，当該障害表示ボタンへの指示入力に応答して，前記基本状態表示画面へ遷移させることなく，当該選択された障害の前記状態表示画面へ遷移させる複合機。
【請求項５】
請求項１乃至請求項４のいずれかにおいて，
前記複合機は，ファクシミリ通信ユニットをさらに有するとともにファクシミリ機能をさらに備え，または外部記憶ユニットが接続可能であり，
前記基本操作画面は，前記ファクシミリ機能の操作入力ボタンをさらに有し，
前記基本状態表示画面は，前記ファクシミリ通信ユニットまたは外部記憶ユニットの状態を選択する選択入力ボタンをさらに有し，
前記状態表示画面は，前記ファクシミリ通信ユニットまたは外部記憶ユニットの状態表示画面がさらに存在することを特徴とする複合機。
【請求項６】
請求項１乃至請求項５のいずれかにおいて，
前記表示制御部は，通常時及び前記ユニットの状態に１または複数の障害が発生した異常時に，表示された前記状態表示画面から指示入力に応答して前記基本状態表示画面へ遷移させることを特徴とする複合機。
【請求項７】
請求項１乃至請求項５のいずれかにおいて，
前記表示制御部は，前記障害が複数発生した場合において，表示された第１の障害の前記状態表示画面から，指示入力に応答して次の優先度を有する第２の障害の状態表示画面へ遷移させることを特徴とする複合機。
【請求項８】
セントラルユニット，プリンタユニット，スキャナユニット，ファクシミリ通信ユニット，及び外部記憶ユニットを有し，コピー機能，プリント機能，スキャン機能，及びファクシミリ機能を備えた複合機の，操作入力可能な表示画面の表示内容の表示制御方法であって，
前記機能の操作入力ボタンと状態表示ボタンとを有する基本操作画面と，前記ユニットのいずれかの状態を選択する選択入力ボタンを有する基本状態表示画面と，前記ユニットごとの状態を表示する複数の状態表示画面とを階層的に遷移させながら前記表示画面に表示させ，
通常時は，前記基本操作画面の前記状態表示ボタンへの指示入力に応答して基本状態表示画面へ遷移させ，当該基本状態表示画面の前記選択入力ボタンへの選択入力に応答して，選択されたユニットの状態表示画面へさらに遷移させ，
前記ユニットの状態に１または複数の障害が発生した異常時は，当該発生した障害のうち最優先の障害を前記基本操作画面において表示し，当該基本操作画面の前記状態表示ボタンへの指示入力に応答して，前記基本状態表示画面へ遷移させることなく，当該最優先の障害の前記状態表示画面へ遷移させる，複合機の表示画面の表示内容の表示制御方法。
【発明の詳細な説明】
【技術分野】
【０００１】
本発明は，セントラルユニット，プリンタユニット，スキャナユニット，ファクシミリ通信ユニット，及び外部記憶デバイスを有する複合機に関し，特に，表示画面の画面遷移が通常時と障害発生時とで異なるような表示制御を行う複合機に関する。
【背景技術】
【０００２】
プリンタユニット，スキャナユニット，ファクシミリ通信ユニットなどを備えた複合機においては，タッチパネルを備えた液晶画面などの表示画面に，各種の障害の発生を表示してユーザに通知する方法が提案されている。例えば，各種消耗品の交換時期が近づいた場合はワーニング（警告）メッセージを表示したり，各ユニットの動作に支障がある障害が発生した場合にはエラーメッセージを表示したりしてユーザの注意を喚起する方法が特許文献１に記載されている。
【特許文献１】特開平８−２３５０８０号公報
【発明の開示】
【発明が解決しようとする課題】
【０００３】
しかしながら，かかる複合機の表示画面には複合機の各機能の操作ボタンが配置されており，ワーニングやエラーのメッセージを表示する面積が限られているので，ユーザがメッセージの内容を確認するためには，メッセージ内容表示用の別画面に遷移する必要がある。そして，複合機が多機能化するにつれ各ユニットの状態を表示するための画面数も多くなり，操作画面からメッセージ内容を表示する画面へ遷移する経路も複雑になるので，画面を遷移させるためのユーザの操作もステップがかさみ，煩雑となっていた。
【０００４】
例えば，スキャンデータを保存する外部記憶装置としてＵＳＢインターフェースに対応した不揮発性メモリやハードディスクドライブなどの外部記憶ユニットを接続する場合において，ＵＳＢポートにメモリ等ではなくキーボードやマウスが接続されたときに，不適切なデバイスが接続されたことによるワーニングメッセージが発せられる。すると，コピー機能の操作中にかかるＵＳＢデバイスの障害によるワーニングメッセージが発せられた場合に，そのワーニングメッセージが使用できないデバイスの接続によるものなのか，あるいはトナーの消耗などの他の原因によるものなのかが判然としない。そのようなときには，コピー機能の操作画面から，状態を表示させたいユニットまたはデバイスを選択する画面へ一旦遷移し，その上で外部記憶ユニットに関する障害の内容を表示する画面，あるいはプリンタユニットに関する障害の内容を表示する画面へ遷移していた。
【０００５】
そこで，本発明の目的は，ワーニングやエラーメッセージを発した障害の優先度に基づき，最優先の障害の内容の表示画面へ，通常時に遷移する画面を経ずに操作画面から直接遷移するような表示制御を行う複合機を提供することにある。
【課題を解決するための手段】
【０００６】
上記の目的を達成するために，本発明の第１の側面によれば，セントラルユニット，プリンタユニット，及びスキャナユニットを有し，コピー機能，プリント機能，及びスキャン機能を備え，操作入力可能な表示画面と，前記表示画面の表示内容を制御する表示制御部とを有する複合機において，前記表示制御部は，前記機能の操作入力ボタンと状態表示ボタンとを有する基本操作画面と，前記ユニットの状態を選択する選択入力ボタンを有する基本状態表示画面と，前記ユニットごとの状態を表示する複数の状態表示画面とを階層的に遷移させながら表示し，通常時は，前記基本操作画面の前記状態表示ボタンへの指示入力に応答して基本状態表示画面へ遷移させ，当該基本状態表示画面の前記選択入力ボタンへの選択入力に応答して，選択されたユニットの状態表示画面へさらに遷移させ，前記ユニットの状態に１または複数の障害が発生した異常時は，当該発生した障害のうち最優先の障害を前記基本操作画面において表示し，当該基本操作画面の前記状態表示ボタンへの指示入力に応答して，前記基本状態表示画面へ遷移させることなく，当該最優先の障害の前記状態表示画面へ遷移させることを特徴とする。
【０００７】
前記第１の側面によれば，障害が発生した異常時に，ワーニングやエラーメッセージを発した障害の内容を確認する際に，状態を表示するユニットを選択するための画面への遷移を行わず，最優先の障害が生じたユニットの状態表示画面へ，操作画面から直接遷移することができるので，操作が簡潔になる。
【０００８】
前記第１の側面における好ましい実施例では，前記表示制御部は，前記障害が複数発生した場合は，当該発生した障害の優先度すべてを前記基本操作画面において表示し，当該基本操作画面の前記状態表示ボタンへの指示入力に応答して，前記基本状態表示画面へ遷移させることなく，当該最優先の障害の前記状態表示画面へ遷移させることを特徴とする。よって，障害が複数発生していることが基本操作画面上で確認でき，なおかつ，最優先の障害の状態表示画面へ直接遷移することができるので，操作が簡潔になる。
【０００９】
本発明の第２の側面によれば，前記表示制御部は，通常時及び前記ユニットの状態に１または複数の障害が発生した異常時は，前記基本操作画面の前記状態表示ボタンへの指示入力に応答して基本状態表示画面へ遷移させ，当該基本状態表示画面の前記選択入力ボタンへの選択入力に応答して，選択されたユニットの状態表示画面へさらに遷移させ，前記異常時は，当該発生した障害のうち最優先の障害表示ボタンを前記基本操作画面において表示し，当該障害表示ボタンへの指示入力に応答して，前記基本状態表示画面へ遷移させることなく，当該指示された障害の前記状態表示画面へ遷移させる。よって，状態を表示するユニットを選択するための画面への遷移と，最優先の障害の状態表示画面への遷移とを選択することができるので，ユーザがエラー等のメッセージの内容を確認したい場合であっても，障害が発生していない各種ユニットの状態を確認したい場合であっても，簡潔な操作が可能になる。
【発明を実施するための最良の形態】
【００１０】
以下，図面にしたがって本発明の実施の形態について説明する。但し，本発明の技術的範囲はこれらの実施の形態に限定されず，特許請求の範囲に記載された事項とその均等物まで及ぶものである。
【００１１】
図１は，本実施の形態における複合機の構成の概略を説明する図である。本実施の形態では，セントラルユニット１０，ファクシミリ通信ユニット２０，スキャナユニット３０，プリンタユニット４０，及び外部記憶ユニット５０により構成される複合機において，いずれかのユニットで障害が発生した異常時には，通常時の画面遷移とは異なり，最優先の障害の内容表示画面へ操作画面から直接遷移するような表示制御を行うことにより，ユーザの画面操作を簡便にする。なお，本図ではセントラルユニット１０に操作入力可能な表示画面と同画面の表示制御部が具備される形態を説明するが，必ずしもセントラルユニットにこれらが含まれなくてもよい。また，複合機は前記ユニットすべてを有していなくてもよく，異なる構成でもよい。
【００１２】
セントラルユニット１０は，複合機を構成するプリンタユニット等の各ユニットを相互に連携動作させるための制御手段と，ユーザの入出力を可能にするインターフェースを有する複合機の中心的構成単位である。ＣＰＵ１２，タッチパネルと液晶画面からなる操作入力可能な表示画面である操作表示画面ＤＩＳＰ，操作表示画面ＤＩＳＰに画像を表示させ，同画面のタッチパネルから操作入力を受け付けるＩ／ＯコントローラＡ１３，操作ボタンＢＴとその入力を受け付けるＩ／ＯコントローラＢ１４，画像処理部１５，ＲＯＭ１６，ＲＡＭ１７，ＵＳＢコントローラ１１を有し，これらが内部バスＢＵＳで接続されている。
【００１３】
また，ＵＳＢコントローラ１１は一例として４チャンネルのＵＳＢポートＵＰ１〜４を有し，ファクシミリ通信ユニット２０と外部記憶ユニット５０が接続されている。外部記憶ユニット５０は，一例として不揮発性のＵＳＢメモリであり，ＵＳＢインターフェースに対応したハードディスクドライブ等のＵＳＢデバイスを接続することも可能である。
【００１４】
さらに，外部接続インターフェースＩ／Ｆを介してホストコンピュータＨＯＳＴ，スキャナユニット３０，及びプリンタユニット４０が接続され，複合機を構成している。
【００１５】
ＣＰＵ１２は，インターフェースＩ／Ｆを介して接続されたホストコンピュータＨＯＳＴからの入力信号や，操作表示画面ＤＩＳＰのタッチパネル及び操作ボタンＢＴからの入力信号を受信し，入力に応じてファクシミリ通信ユニット２０をはじめとする複合機各ユニットの動作の制御を行う。また，操作表示画面ＤＩＳＰの表示内容の制御を行う表示制御部としても機能する。
【００１６】
ＲＯＭ１６には，複合機の制御に必要なデータやプログラム，複合機の各ユニットに障害が発生したときに表示するメッセージの内容や優先度などが記憶されている。また，画像処理部１５は，ホストコンピュータＨＯＳＴからの画像データやスキャナユニット３０が読み取ったＲＧＢ画像データに対して、解凍処理，プリンタユニット４０のＣＭＹＫ画像データに変換する色変換処理を行いプリンタユニット４０に提供する。
【００１７】
図２は，本実施の形態における複合機の操作パネルの概観を説明する図である。この操作パネル全体が図１で説明したセントラルユニット１０に該当する。スキャナユニット３０，プリンタユニット４０等と接続されて複合機を構成する。図示するように，操作表示画面ＤＩＳＰと，複合機の各機能に共通の，数値入力のためのテンキーやスタートやリセットボタンなどの操作ボタンＢＴが備えられており，複合機全体の入出力インターフェースを担っている。コピー機能，スキャナ機能，ファクシミリ機能に対する操作入力は，操作表示画面ＤＩＳＰに表示される操作画面に配置された操作ボタンにより入力する。また，この操作パネルの側面には図示しないＵＳＢポートＵＰ１〜４が備えられており，ファクシミリ通信ユニット２０や，外部記憶ユニット５０等の各種ＵＳＢデバイスの接続を可能にしている。
【００１８】
図３は，操作表示画面ＤＩＳＰに表示される各種画面の構成を説明する図である。図３（Ａ）は基本操作画面の構成を説明する図である。基本操作画面は，複合機の各機能の操作入力ボタンと状態表示ボタンを有する画面である。機能ごとに１画面ずつ，相互に切り替えて表示される。本図は，コピー機能の基本操作画面Ｄ１０−Ｃを表わしており，コピー機能の操作入力ボタンｃＯＰ−Ｂと状態表示ボタンＳＴＤ−Ｂを有している。さらに，ファクシミリ機能，スキャン機能，管理者が複合機の各種環境設定を行う管理者設定機能などの他の機能を選択し，選択した機能の基本操作画面への表示切替えを指示する機能選択ボタンＦＢ，各種メッセージの表示領域ＭＡ１０を備えている。
【００１９】
図３（Ｂ）は基本状態表示画面の構成を説明する図である。基本状態表示画面Ｄ２０は，セントラルユニットの状態を表示をする表示領域ＭＡ２０と，複合機の各ユニットの状態表示画面を表示させるための選択入力ボタンＳＬＤ−Ｂを有する画面である。ここで，選択入力ボタンＳＬＤ−Ｂの「ＵＳＢデバイス」とは，外部記憶ユニットの状態表示画面を示している。さらに，この基本状態表示画面は，表示領域ＭＡ２０の表示内容をスクロールするためのスクロールボタンＳＣ−Ｂや，この画面を閉じるためのボタンＣＬ−Ｂを備えている。
【００２０】
図３（Ｃ）は状態表示画面の構成を説明する図である。状態表示画面は，複合機のユニットの状態を表示する表示領域を有する画面である。本図は，プリンタユニットの状態を表示する状態表示画面Ｄ３４を表わしており，状態を表示する領域ＭＡ３４を有している。さらに，表示領域ＭＡ３４の表示内容をスクロールするためのスクロールボタンＳＣ−Ｂや，この画面を閉じるためのボタンＣＬ−Ｂを備えている。
【００２１】
図４は，操作表示画面ＤＩＳＰに表示される各種画面の画面遷移を説明する図である。本実施の形態では，基本操作画面，基本状態表示画面，機能ごとの状態表示画面の３階層を遷移する。遷移の経路は，通常時と複合機の機能に障害が発生した異常時とで異なる。各画面は，図３で説明したように種々のボタンを有しており，ユーザが操作表示画面ＤＩＳＰ上に表示されたボタンを押すと，Ｉ／ＯコントローラＡ１３が操作表示画面ＤＩＳＰからのボタン信号をＣＰＵ１２に伝える。すると，ＣＰＵ１２は，ＲＯＭ１６に記憶された表示制御プログラムに基づき，Ｉ／ＯコントローラＡ１３を介して操作表示画面ＤＩＳＰに各種画面を表示させる。
【００２２】
まず，通常時の画面遷移の経路について説明する。通常時の経路は図中実線の矢印で表わしてある。第１階層に位置する基本操作画面は，コピー機能の基本操作画面Ｄ１０−Ｃを示しているが，上述したように，コピー機能のほかのファクシミリ機能（Ｄ１０−Ｆ），スキャン機能（Ｄ１０−Ｓ），管理者設定機能（Ｄ１０−Ｋ）ごとに１画面ずつ，ユーザの指示入力により相互に切り替えて表示される。いずれの機能の基本操作画面からも，状態表示ボタンＳＴＤ−Ｂを押すことにより，通常時は第２階層の基本状態表示画面に遷移する（矢印ＴＲ１）。なお，表示領域ＭＡ１０に図示されている障害の表示の一例としてのエラーアイコンＥＭは，通常時には表示されていない。
【００２３】
第２階層に位置する基本状態表示画面Ｄ２０は，表示領域ＭＡ２０にセントラルユニットの状態を表示する。そして，それ以外のユニットに対応する選択入力ボタンＳＬＤ−Ｂを押すと，第３階層に位置する機能ごとの状態表示画面へ遷移する（矢印ＴＲ２）。例えば選択入力ボタンＳＬＤ−Ｂの「ファクシミリ」を押した場合には，ファクシミリ通信ユニットの状態表示画面Ｄ３２へ遷移する。なお，基本状態表示画面を閉じると，第１階層の基本操作画面へ戻る（矢印ＴＲ２２）。
【００２４】
第３階層に位置する各機能の状態表示画面は，基本状態表示画面の選択入力ボタンＳＬＤ−Ｂで選択されたユニットの状態を，それぞれ表示する。すなわち，ファクシミリ通信ユニット状態表示画面Ｄ３２，プリンタユニット状態表示画面Ｄ３４，外部記憶ユニット状態表示画面Ｄ３６，及びスキャナユニット状態表示画面Ｄ３８が選択に応じて表示される。また，障害が発生していれば，その内容を表示する。なお，どの状態表示画面を閉じても，第２階層の基本状態操作画面へ戻る（矢印ＴＲ３）。
【００２５】
次に，複合機のいずれかのユニットに障害が発生した異常時の経路について説明する。かかる異常時の遷移の経路は，図中，破線の矢印で示されている。異常時には，第１階層の基本操作画面から，第２階層の基本状態表示画面を経ずに，第３階層の画面である障害が発生したユニットの状態表示画面へ遷移する。さらに，障害が複数発生している場合には，障害の程度に応じた優先度に基づき最優先の障害を選び，最優先の障害を基本操作画面にアイコンなどで表示した上で，その最優先の障害の状態表示画面へ直接遷移する。
【００２６】
例えば，プリンタユニットと外部記憶ユニットにおいて障害が発生したとすると，ＣＰＵ１２はＲＯＭ１６に記憶されている障害の優先度を参照し，最優先の障害を選定する。本実施の形態では，後述する優先度に基づくとエラーに相当するプリンタユニットに生じた障害は，ワーニングに相当する外部記憶ユニットに生じた障害より優先度が高く設定されているので，エラーに相当するプリンタユニットの障害が最優先の障害ということになる。よって，基本操作画面Ｄ１０−Ｃの表示領域ＭＡ１０にエラーのアイコンＥＭが表示され，状態表示ボタンＳＴＤ−Ｂが押されると，最優先の障害が生じているプリンタユニットの状態表示画面Ｄ３４へ直接遷移する（矢印ＴＲ１１）。よって異常時には第２階層の基本状態表示画面Ｄ２０への遷移を省略することにより，ユーザは簡便な操作により障害の内容を確認できる。
【００２７】
変形例として，複数の障害が発生した場合には，基本操作画面において障害の優先度をすべて表示する。上記の障害が発生した場合を例にとると，エラーに相当するプリンタユニットの障害とワーニングに相当する外部記憶ユニットの障害が発生しているので，優先度のすべて，つまりエラーとワーニングを基本操作画面Ｄ１０−Ｃ２の表示領域ＭＡ１０に表示する。つまり，エラーを表示するエラーアイコンＥＭとワーニングを表示するワーニングアイコンＷＭを表示する。かかる表示がなされた場合に状態表示ボタンＳＴＤ−Ｂが押されると，最優先の障害が発生したユニットの状態表示画面，つまりエラーに相当する障害が発生したプリンタユニットの状態表示画面Ｄ３４へ遷移する（矢印ＴＲ１２）。これにより，ユーザは複数の障害が生じていることを認識しながらも，最優先の障害の状態表示画面へ直接遷移するので画面表示の操作が簡便になる。
【００２８】
なお，第３階層の状態表示画面から，第２階層の基本状態表示画面へ戻り（矢印ＴＲ３），基本状態表示画面から第１階層の基本操作画面へ戻る（矢印ＴＲ２２）という遷移の経路は，通常時，異常時ともに共通である。よって，上記のように障害が生じた場合であって基本操作画面Ｄ１０−Ｃから直接遷移した場合であっても，状態表示画面Ｄ３４を閉じると，基本操作画面Ｄ１０−Ｃではなく，基本状態表示画面Ｄ２０へ遷移する。すると，基本状態表示画面Ｄ２０からは，第１階層の基本操作画面Ｄ１０−Ｃへも遷移できるし，第３階層の障害が発生していない機能の状態表示画面へ遷移することもできる。ただし，別の変形例として，複数の障害が生じている場合においては，状態表示画面Ｄ３４を閉じると，基本状態表示画面Ｄ２０へ戻る前に，次に優先度の高いワーニングに相当する障害が発生した外部記憶ユニットの状態表示画面Ｄ３６へ遷移させる（矢印ＴＲ４）というように，障害が発生したユニットの状態表示画面を障害の優先度に応じて順次遷移させる画面遷移も可能である。よって，複数の障害が発生している場合は，障害の優先度に応じて状態を順次確認できるので，操作は一層簡便になる。
【００２９】
図５は，上述した変形例において複数の障害を表示する基本操作画面の表示例を説明する図である。コピー機能の基本操作画面Ｄ１０−Ｃにおいて，エラーアイコンＥＭと，ワーニングアイコンＷＭの両方が表示領域ＭＡ１０に表示されている。
【００３０】
図６は，本実施の形態において基本操作画面の表示領域に表示されるアイコンの表示例と障害の優先度とを説明する図である。図６（Ａ）では，ユニットの状態，障害の優先度，アイコンの表示例，及び障害の内容との対応関係を例示している。最も優先度が低いのは，障害が無い場合で，アイコンは表示されない（行Ｒ１０）。優先度が中程度なのは，軽度の障害が発生した場合で，ワーニングに相当し，図示したようなワーニングアイコンが表示される（行Ｒ２０）。最も優先度が高いのは，重度の障害が発生した場合で，エラーに相当し，図示したようなエラーアイコンが表示される（行Ｒ３０）。
【００３１】
ワーニングとエラーの違いは次のとおりである。ワーニングは，複合機の動作は可能であるがユーザの注意喚起が必要な場合である。例えば，ＣＰＵ１２が，ＵＳＢポートＵＰ１〜４のいずれかに外部記憶ユニットとして使用できないＵＳＢデバイスが接続されたことをＵＳＢコントローラ１１からの信号により検知した場合は，ワーニングに相当する軽度の障害が外部記憶ユニットで生じているので，ワーニングアイコンを基本操作画面の表示領域に表示する（行Ｒ２０）。外部記憶ユニットについては，サポートされている記憶デバイス以外のＵＳＢデバイスが接続された場合はそのデバイスは使用することができないが，４チャネルのＵＳＢポートのいずれかのポートに使用可能な記憶デバイスが接続されていれば，そのデバイスを外部記憶ユニットとして使用することができるので，障害の程度としてはワーニングに相当する。また，トナーなどの消耗品の交換時期が間近であることをプリンタユニット４０からの信号により検知した場合も，ワーニングに相当する軽度の障害がプリンタユニットで生じているので，ワーニングアイコンを基本操作画面の表示領域に表示する（行Ｒ２０）。
【００３２】
一方，複合機の動作が行えないような障害は優先度のより高いエラーに相当する。例えば，トナーなどの消耗品が既に消耗しており交換が必要な場合は，プリンタユニットにエラーに相当する重度の障害が生じたことになるので，エラーアイコンが表示される（行Ｒ３０）。本図で示す対応関係はＲＯＭ１６に記憶されており，障害が発生した場合に参照されて，画面の表示や遷移の順序が判断される。ただし，表示するのは図示したようなアイコンでなくても，他の表示形態でもかまわない。さらに，表示する障害の程度や，対応づけた表示形態は上記に限られない。
【００３３】
図６（Ｂ）は，複合機に障害が複数生じた場合の優先度の例である。プリンタユニットでエラーもしくはワーニングに相当する障害が発生した場合と，外部記憶ユニットでワーニングに相当する障害が生じた場合を対応付けてある。
【００３４】
まず，エラーとワーニングが生じた場合には，エラーが優先される（行Ｒ１〜Ｒ４）。ワーニングが複数生じた場合には外部記憶ユニットのワーニング，つまり使用可能な記憶デバイス以外のＵＳＢデバイスが接続されたことの障害が優先される（行Ｒ５）。また，ＵＳＢポートＵＰ１〜４において使用できないデバイスの接続がなされワーニングに相当する障害が複数発生した場合は，ポート番号順に優先度が決められる。
【００３５】
例えば，ポートＵＰ１の障害の方がポートＵＰ３の障害より優先する。あるいは，ＲＡＭ１７に最後に障害が生じたポート番号を記憶しておき，そのポート番号の障害を最優先としてもよい。このような優先度もＲＯＭ１６に記憶されており，複数の障害が発生した場合の最優先の障害が判断される際に参照される。なお，このような優先度も一例であり，上記のものに限定されるものではない。
【００３６】
以下，図７〜図１１では，本実施の形態における各種画面を例示する。
【００３７】
図７は，スキャン機能の基本操作画面Ｄ１０−Ｓの表示例を説明する図である。スキャン機能の操作入力ボタンｓＯＰ−Ｂを有している。表示領域ＭＡ１０，状態表示ボタンＳＴＤ−Ｂは図３（Ａ）で示したコピー機能の基本操作画面Ｄ１０−Ｃと同様である。本図は，ワーニングアイコンＷＭが表示された場合を例示している。つまり，複合機のユニットにおいてワーニングに相当する障害が発生しており，かつ，その障害が最優先の場合である。かかる状況で状態表示ボタンＳＴＤ−Ｂを押すと，そのアイコン表示の原因になっている障害が生じたユニットの状態表示画面へ遷移することは上述したとおりである。
【００３８】
図８は，プリンタユニット状態表示画面Ｄ３４の表示例を説明する図である。本図の例は，障害が発生した異常時における表示例である。表示領域Ｍ３４，表示内容をスクロールするためのスクロールボタンＳＣ−Ｂ，及びこの画面を閉じるためのボタンＣＬ−Ｂを備えている。シアンのトナー残量「０％」という状態はエラーに相当する障害であり，エラーアイコンＥＭが表示領域ＭＡ３４に表示されている。また，ブラックのトナー残量「１０％」という状態はワーニングに相当する障害であり，ワーニングアイコンＷＭも表示されている。ここで，エラーの障害が最優先であるので，例えば図３（Ａ）で示した基本操作画面Ｄ１０−Ｃのように表示領域ＭＡ１０にはエラーアイコンＥＭが表示され，状態表示ボタンＳＴＤ−Ｂを押すことにより，図６（Ａ），（Ｂ）で示した優先度に基づき図８の状態表示画面へ遷移する。
【００３９】
図９は，外部記憶ユニット状態表示画面Ｄ３６の表示例を説明する図である。図で示される「ＵＳＢデバイス状態」とは，ＵＳＢポートＵＰ１〜４に接続された外部記憶ユニットの状態のことを言い，この画面では接続されたＵＳＢデバイスが外部記憶ユニットとして使用可能な記憶デバイスか否かを表示領域ＭＡ３６に表示する。表示領域ＭＡ３６の表示内容をスクロールするためのスクロールボタンＳＣ−Ｂと，この画面を閉じるためのボタンＣＬ−Ｂも備えられている。
【００４０】
図９（Ａ）が示すのは，通常時において図３（Ｂ）に示した基本状態表示画面Ｄ２０の選択入力ボタンＳＬＤ−Ｂ「ＵＳＢデバイス」を押した場合に遷移した画面である。図９（Ｂ）が示すのは，障害が発生した異常時における表示例である。未サポートであるため使用できないデバイスが２番目のＵＳＢポートＵＰ２に接続されているのでワーニングに相当する障害であり，ワーニングアイコンＷＭとその内容が表示領域ＭＡ３６に表示されている。このような場合は，例えば図７に示すように基本操作画面Ｄ１０−Ｓの表示領域ＭＡ１０にワーニングアイコンＷＭが表示され，状態表示ボタンＳＴＤ−Ｂが押されると，図６（Ａ），（Ｂ）で示した優先度に基づき図９（Ｂ）の状態表示画面Ｄ３６へ遷移する。なお，図９（Ａ），（Ｂ）は同一画面上で，状態表示の内容を前後にスクロールしたものである。
【００４１】
図１０は，ファクシミリ通信ユニット状態表示画面Ｄ３２の表示例を説明する図である。ファクシミリ通信ユニットの状態を表示する領域ＭＡ３２と画面を閉じるボタンＣＬ−Ｂを備えている。通常時において図３（Ｂ）に示した基本状態表示画面の選択入力ボタンＳＬＤ−Ｂ「ＦＡＸユニット」を押した場合に遷移した画面であり，障害は表示されていない。
【００４２】
図１１は，スキャナユニット状態表示画面Ｄ３８の表示例を説明する図である。スキャナユニットの状態を表示する領域ＭＡ３８と画面を閉じるボタンＣＬ−Ｂを備えている。通常時において図３（Ｂ）に示した基本状態表示画面の選択入力ボタンＳＬＤ−Ｂ「スキャナ」を押した場合に遷移した画面であり，障害は表示されていない。
【００４３】
図１２は，異なる実施の形態において，エラーやワーニングの表示アイコンにボタン機能を付加した障害表示ボタンを表示する場合の画面遷移を説明する図である。図４で示した画面遷移と，経路が次の点で異なる。まず，基本操作画面の状態表示ボタンを押すと，通常時においても，いずれかのユニットに障害が発生した異常時においても，第２階層の基本状態表示画面に遷移する。一方，異常時においては，発生した障害に対応するワーニングまたはエラーの障害表示ボタンが基本操作画面に表示される。この障害表示ボタンは，ボタン機能を有するアイコンであって，このアイコンを押すと，表示に対応した障害を生じたユニットの状態表示画面へ遷移する。なお，表示する障害表示ボタンは最優先の障害に対応するものだけでもよいし，複数表示してもよい。その他の経路は，図４で示した画面遷移と同様である。
【００４４】
例えば，基本操作画面Ｄ１０−Ｃ３の状態表示ボタンＳＴＤ−Ｂを押すと，通常時においても異常時においても，基本状態表示画面Ｄ２０に遷移する（矢印ＴＲ１３）。基本状態表示画面Ｄ２０からは，図４で説明した経路と同じ経路で画面が遷移する（矢印ＴＲ２）。次に，プリンタユニットにおいてエラーに相当する障害が，外部記憶ユニットにおいてワーニングに相当する障害が発生したとする。すると，最優先の障害であるプリンタユニットの障害に対応付けられたエラーアイコンの障害表示ボタンＥＭ−Ｂが基本操作画面Ｄ１０−Ｃ３の表示領域ＭＡ１０に表示される。障害表示ボタンＥＭ−Ｂが押されると，最優先の障害が生じているプリンタユニットの状態表示画面Ｄ３４へ直接遷移する（矢印ＴＲ１４）。さらに，基本操作画面Ｄ１０−Ｃ３の表示領域ＭＡ１０には外部記憶ユニットの障害に対応付けられたワーニングアイコンの障害表示ボタンＷＭ−Ｂを共に表示してもよい。その場合，障害表示ボタンＷＭ−Ｂが押されると，対応する障害が生じている外部記憶ユニットの状態表示画面Ｄ３６へ直接遷移する（矢印ＴＲ１５）。
【００４５】
なお，第３階層の状態表示画面から，第２階層の基本状態表示画面へ戻り（矢印ＴＲ３），基本状態表示画面から第１階層の基本操作画面へ戻る（矢印ＴＲ２２）という遷移の経路は，通常時，異常時ともに共通である。ただし，複数の障害が生じている場合においては，状態表示画面Ｄ３４を閉じると，基本状態表示画面Ｄ２０へ戻る前に，次に優先度の高い障害が発生したユニットの状態表示画面Ｄ３６を表示させる画面遷移（矢印ＴＲ４）も可能である。
【００４６】
上述のように，通常時においても異常時においても，状態表示ボタンを押すことにより基本状態表示画面に遷移して，さらに各機能の状態表示画面を表示させることができるので，障害の発生の有無にかかわらず各ユニットの状態表示が常に可能であり，所望の画面へ遷移するための簡潔な操作が可能になる。一方，異常時には障害表示ボタンを押すことにより第２階層の基本状態表示画面への遷移を省略することができ，障害の内容を確認するユーザは簡便な操作を選択できる。さらに，複数の障害が発生している場合は，障害の優先度に応じて状態表示画面間を順次遷移できるので，操作は一層簡便になる。
【００４７】
以上のように，複合機のユニットに生じた障害の内容を確認する際に，通常時に遷移する画面を経ずに操作画面から最優先の障害の内容の状態表示画面へ直接遷移するような表示制御を行うことにより，ユーザの操作が簡便になる。  
【図面の簡単な説明】
【００４８】
【図１】本実施の形態における複合機の構成の概略を説明する図である。
【図２】本実施の形態における複合機の操作パネルの概観を説明する図である。
【図３】操作表示画面ＤＩＳＰに表示される各種画面の構成を説明する図である。
【図４】操作表示画面ＤＩＳＰに表示される各種画面の画面遷移を説明する図であ。
【図５】変形例において複数の障害を表示する基本操作画面の表示例を説明する図である。
【図６】本実施の形態において基本操作画面の表示領域に表示されるアイコンの表示例と障害の優先度とを説明する図である。
【図７】スキャン機能の基本操作画面Ｄ１０−Ｓの表示例を説明する図である。
【図８】プリンタユニット状態表示画面Ｄ３４の表示例を説明する図である。
【図９】外部記憶ユニット状態表示画面Ｄ３６の表示例を説明する図である。
【図１０】ファクシミリ通信ユニット状態表示画面Ｄ３２の表示例を説明する図である。
【図１１】スキャナユニット状態表示画面Ｄ３８の表示例を説明する図である。
【図１２】異なる実施の形態において，エラーやワーニングの表示アイコンにボタン機能を付加した障害表示ボタンを表示する場合の画面遷移を説明する図である。
【符号の説明】
【００４９】
Ｄ１０−Ｃ：    コピー機能基本操作画面
ＳＴＤ−Ｂ：    状態表示ボタン
Ｄ２０：        基本状態表示画面
ＳＬＤ−Ｂ：    選択入力ボタン
Ｄ３２：        ファクシミリ通信ユニット状態表示画面
【図１】
0004581956.tif 000002
【図２】
0004581956.tif 000003
【図３】
0004581956.tif 000004
【図４】
0004581956.tif 000005
【図５】
0004581956.tif 000006
【図６】
0004581956.tif 000007
【図７】
0004581956.tif 000008
【図８】
0004581956.tif 000009
【図９】
0004581956.tif 000010
【図１０】
0004581956.tif 000011
【図１１】
0004581956.tif 000012
【図１２】
0004581956.tif 000013